(57)【要約】【課題】撮影に関する利便性を向上することが可能な電子機器及び物品を提供する。【解決手段】電子機器は、撮像を行う撮像部（１０２、１０４など）と、通信機能を備えた撮影対象と通信する通信部（１２２）と、通信部（１２２）の撮影対象との通信に応じて撮像部（１０２、１０４など）を制御する制御部（１２４）と、を備える。【選択図】図１
2016019246.tif 000002
【特許請求の範囲】
【請求項１】
撮像を行う撮像部と、
通信機能を備えた撮影対象と通信する通信部と、
前記通信部の前記撮影対象との通信に応じて前記撮像部を制御する制御部と、を備える電子機器。
【請求項２】
前記撮影対象は、前記撮影対象の色情報及びデザイン情報の少なくとも一方を有し、
前記通信部は、前記色情報及び前記デザイン情報の少なくとも一方を受信し、
前記制御部は、前記通信部で受信した前記色情報及び前記デザイン情報の少なくとも一方に基づいて、前記撮像部を制御する請求項１記載の電子機器。
【請求項３】
前記制御部は、輪郭強調、ノイズリダクション、及びモアレ除去の少なくとも１つを制御する請求項２記載の電子機器。
【請求項４】
前記撮影対象は衣服であり、
前記通信部は、被写体が着用する前記衣服から衣服の種類情報を受信し、
前記制御部は、前記通信部で受信した前記衣服の種類情報に基づいて、前記撮像部による撮像を制御する請求項１から３のいずれか一項に記載の電子機器。
【請求項５】
撮像を行う撮像部と、
通信機能を備えた衣服と通信する通信部と、
前記通信部の前記衣服との通信に応じて前記撮像部を制御する制御部と、を備える電子機器。
【請求項６】
前記通信部は、撮影者が着用する前記衣服に設けられた振動検出部の検出結果を受信し、
前記制御部は、前記通信部で受信した前記振動検出部の検出結果に基づいて、前記撮像部による撮像を実行する請求項５記載の電子機器。
【請求項７】
地表面からの高さを検出する高さ検出部を備え、
前記通信部は、前記高さ検出部で検出された高さに基づいて、前記振動検出部の検出結果を受信する請求項６記載の電子機器。
【請求項８】
前記通信部は、前記高さ検出部で検出された高さが所定の範囲よりも低い場合又は高い場合に、前記振動検出部の検出結果を受信する請求項７記載の電子機器。
【請求項９】
前記撮像部を保持する筐体に対する姿勢を変更可能で、前記撮像部が撮像する画像を表示する表示画面と、
前記表示画面の姿勢を検出する姿勢検出部と、を備え、
前記通信部は、前記姿勢検出部で検出された前記表示画面の姿勢に基づいて、前記振動検出部の検出結果を受信する請求項６記載の電子機器。
【請求項１０】
種類情報、色情報、及びデザイン情報の少なくとも１つを記憶する記憶部と、
撮影装置に前記記憶部が記憶する情報を送信する通信部と、を備える物品。
【請求項１１】
前記通信部は、前記撮影装置が前記物品を撮影する前に前記記憶部が記憶する情報を送信する請求項１０記載の物品。
【発明の詳細な説明】
【技術分野】
【０００１】
本発明は、電子機器及び物品に関する。
【背景技術】
【０００２】
撮影を行う電子機器においては、一般的に、撮影者によるスイッチ操作などに応じて、撮影や各種撮影条件の設定が行われる。また、撮影者が電子機器に対して離れた位置から指示を与えて撮影を行う技術として、例えば、リモコンからの撮影指示に関する信号を受信する受信部を備えるカメラが知られている（例えば、特許文献１参照）。
【先行技術文献】
【特許文献】
【０００３】
【特許文献１】特開２００３−１９５４０９号公報
【発明の概要】
【発明が解決しようとする課題】
【０００４】
しかしながら、従来の電子機器では、撮影対象に応じた適切な撮影条件の設定や撮影の実行に関する利便性が十分ではなかった。
【０００５】
本発明は上記の課題に鑑みなされたものであり、撮影に関する利便性を向上することが可能な電子機器及び物品を提供することを目的とする。
【課題を解決するための手段】
【０００６】
本発明の電子機器は、撮像を行う撮像部（１０２、１０４など）と、通信機能を備えた撮影対象と通信する通信部（１２２）と、前記通信部の前記撮影対象との通信に応じて前記撮像部を制御する制御部（１２４）と、を備える。
【０００７】
また、本発明の電子機器では、前記撮影対象は、前記撮影対象の色情報及びデザイン情報の少なくとも一方を有し、前記通信部は、前記色情報及び前記デザイン情報の少なくとも一方を受信し、前記制御部は、前記通信部で受信した前記色情報及び前記デザイン情報の少なくとも一方に基づいて、前記撮像部を制御してもよい。また、前記制御部は、輪郭強調、ノイズリダクション、及びモアレ除去の少なくとも１つを制御してもよい。
【０００８】
また、本発明の電子機器では、前記撮影対象は衣服であり、前記通信部は、被写体が着用する前記衣服から衣服の種類情報を受信し、前記制御部は、前記通信部で受信した前記衣服の種類情報に基づいて、前記撮像部による撮像を制御してもよい。
【０００９】
本発明の電子機器は、撮像を行う撮像部（１０２、１０４など）と、通信機能を備えた衣服と通信する通信部（１２２）と、前記通信部の前記衣服との通信に応じて前記撮像部を制御する制御部（１２４）と、を備える。
【００１０】
また、本発明の電子機器では、前記通信部は、撮影者が着用する前記衣服に設けられた振動検出部（３５０）の検出結果を受信し、前記制御部は、前記通信部で受信した前記振動検出部の検出結果に基づいて、前記撮像部による撮像を実行してもよい。
【００１１】
また、本発明の電子機器では、地表面からの高さを検出する高さ検出部（１５０）を備え、前記通信部は、前記高さ検出部で検出された高さに基づいて、前記振動検出部の検出結果を受信してもよい。また、前記通信部は、前記高さ検出部で検出された高さが所定の範囲よりも低い場合又は高い場合に、前記振動検出部の検出結果を受信してもよい。
【００１２】
また、本発明の電子機器では、前記撮像部を保持する筐体（１７０）に対する姿勢を変更可能で、前記撮像部が撮像する画像を表示する表示画面（１１０Ａ）と、前記表示画面の姿勢を検出する姿勢検出部（１６０）と、を備え、前記通信部は、前記姿勢検出部で検出された前記表示画面の姿勢に基づいて、前記振動検出部の検出結果を受信してもよい。
【００１３】
本発明の物品は、種類情報、色情報、及びデザイン情報の少なくとも１つを記憶する記憶部（２０２、３０２）と、撮影装置に前記記憶部が記憶する情報を送信する通信部（２０４、３０４）と、を備える。
【００１４】
また、本発明の物品では、前記通信部は、前記撮影装置が前記物品を撮影する前に前記記憶部が記憶する情報を送信してもよい。
【００１５】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１６】
本発明の電子機器及び物品は、撮影に関する利便性を向上することができるという効果を奏する。
【図面の簡単な説明】
【００１７】
【図１】第１の実施形態に係る電子機器システムの構成を示すブロック図である。
【図２】図２（ａ）から図２（ｄ）は、第１物品用機器又は第２物品用機器について説明するための図である。
【図３】図３（ａ）及び図３（ｂ）は、衣服ＤＢのデータ構造の一例を示す図である。
【図４】第１の実施形態に係る撮像装置が実行する処理の一例を示すフローチャートである。
【図５】第１の実施形態に係る第１物品用機器及び第２物品用機器が実行する処理の一例を示すフローチャートである。
【図６】第２の実施形態に係る電子機器システムの構成を示すブロック図である。
【図７】第２の実施形態に係る撮像装置が実行する処理の一例を示すフローチャートである。
【図８】第２の実施形態に係る第３物品用機器が実行する処理の一例を示すフローチャートである。
【図９】第２の実施形態の変形例に係る電子機器システムの構成を示すブロック図である。
【図１０】図１０（ａ）及び図１０（ｂ）は、表示画面について説明するための図である。
【発明を実施するための形態】
【００１８】
《第１の実施形態》
以下、第１の実施形態に係る電子機器システムについて、図１〜図５に基づいて説明する。図１には、第１の実施形態に係る電子機器システム５００の構成が示されている。電子機器システム５００は、図１に示すように、撮像装置１０と、第１物品用機器２０Ａと、第２物品用機器２０Ｂと、を備える。電子機器システム５００は、第１物品用機器２０Ａ又は第２物品用機器２０Ｂを利用して、撮像装置１０による撮影の利便性を向上させるシステムである。
【００１９】
（撮像装置１０）
撮像装置１０は、例えばカメラであって、一眼レフカメラ、ミラーレスカメラ、及びコンパクトカメラや、スマートフォンやタブレット端末などの携帯端末に設けられたカメラであってもよいが、本実施形態では、コンパクトカメラである場合を例に説明する。
【００２０】
撮像装置１０は、図１に示すように、レンズ部１０２、撮像素子１０４、Ａ／Ｄ（Analog/Digital）変換部１０６、画像処理部１０８、表示部１１０、操作部１１２、記憶部１１４、マイク１１６、スピーカー１１８、位置検出部１２０、通信部１２２、及び制御部１２４を備える。
【００２１】
レンズ部１０２は、ズームレンズやフォーカシングレンズを含む複数のレンズ群で構成され、被写体像を撮像素子１０４の撮像面に結像させる。レンズ部１０２は、モータやアクチュエータなどの駆動手段によって駆動される。
【００２２】
撮像素子１０４は、受光素子が撮像面に二次元配列されたＣＭＯＳ（Complementary Metal Oxide Semiconductor）イメージセンサなどを備え、アナログ画像信号を生成する。
【００２３】
Ａ／Ｄ変換部１０６は、撮像素子１０４が生成したアナログ画像信号をデジタル画像信号に変換し、画像処理部１０８及び制御部１２４に出力する。
【００２４】
画像処理部１０８は、Ａ／Ｄ変換部１０６から入力されたデジタル画像信号に対して、各種の画像処理（色補間処理、階調変換処理、輪郭強調処理、ホワイトバランス処理、ノイズリダクション処理、モアレ除去処理、美白モード処理、画像圧縮処理、画像伸張処理など）を行う回路である。画像処理部１０８によって処理されたデータ（サムネイル表示用データや、このサムネイル表示用データよりも高解像度の本画像データなど）は、表示部１１０に表示され、後述の記憶媒体に記憶される。
【００２５】
表示部１１０は、例えばＬＣＤ（Liquid Crystal Display）であり、撮像装置１０に対する各種の設定情報や、撮像装置１０を操作するための操作メニュー、アイコンなどを表示する。また、表示部１１０は、画像処理部１０８の出力に基づくライブビュー画像（スルー画像）や、記憶媒体に記憶されている静止画像や動画像を表示する。
【００２６】
操作部１１２は、タッチパネル１３０とスイッチ１３２とを備える。タッチパネル１３０は、例えば表示部１１０に設けられ、表示部１１０の表面に対するユーザの接触操作を検出し、種々の情報入力を受け付ける。スイッチ１３２は、ユーザからの撮像装置１０に対する操作を受け付ける。スイッチ１３２は、静止画像の撮像を指示するためのシャッタースイッチ（レリーズボタン）、表示部１１０に操作メニューを表示させるメニュースイッチ、表示部１１０に表示された操作メニューにおいて項目を選択するための十字スイッチ（マルチセレクター）などを含む。
【００２７】
記憶部１１４は、撮像装置１０に内蔵された不揮発性の半導体メモリやハードディスク、撮像装置１０に着脱可能なＳＤカードなどの記憶媒体に、静止画のデータや動画のデータを記憶させる。記憶部１１４により記憶された静止画データ及び動画データは、通信部１２２を介して、他の機器に送信できるようにしてもよい。
【００２８】
マイク１１６は、音声を入力する音声入力装置である。マイク１１６は、例えば、動画を撮影したときの音声を入力する。
【００２９】
スピーカー１１８は、音声を出力する音声出力装置である。スピーカー１１８は、第１物品用機器２０Ａ又は第２物品用機器２０Ｂから情報を受信できない場合など、ユーザ（撮影者）に報知すべき情報を音声出力する。また、スピーカー１１８は、動画データに関連付けられている音声を出力する。
【００３０】
位置検出部１２０は、例えばＧＰＳ（Global Positioning System）センサを有し、撮像装置１０の位置を検出する。
【００３１】
通信部１２２は、他の機器と通信を行うものであり、例えばＢｌｕｅｔｏｏｔｈ（登録商標）、ＲＦＩＤ（Radio Frequency Identification）、ＴｒａｎｓｆｅｒＪｅｔ（登録商標）などの近接通信や、無線通信などを用いることができる。通信部１２２は、アンテナ１３４と、アンテナ１３４を用いて近接通信及び無線通信を行う通信制御部１３６と、を備え、第１物品用機器２０Ａ又は第２物品用機器２０Ｂと通信を行う。
【００３２】
制御部１２４は、ＣＰＵ（Central Processing Unit）、ＲＡＭ（Random Access Memory）、ＲＯＭ（Read Only Memory）などを備え、撮像装置１０全体を制御する。制御部１２４が実行する処理の詳細については後述する。
【００３３】
（第１物品用機器２０Ａ）
第１物品用機器２０Ａは、撮像装置１０による撮影の対象となる被写体や、被写体に付属する物品に設けられる機器である。例えば、被写体が人物である場合には、第１物品用機器２０Ａは、図２（ａ）に示すように、人物が着用する衣服（シャツやズボンなど）に設けられる。また、被写体が動物（ペット）である場合には、図２（ｂ）に示すように動物の首輪などに設けられる。また、被写体が花束である場合には、図２（ｃ）に示すように花束の包み紙などに設けられる。また、第１物品用機器２０Ａは、図２（ａ）〜図２（ｃ）以外の物品に設けられていても勿論よい。なお、本実施形態では、第１物品用機器２０Ａが、人物の衣服に取り付けられている場合を例に説明する。なお、第１物品用機器２０Ａは、購入者が物品を購入した時点で物品に取り付けられていてもよいし、物品を購入した後に購入者が取り付けてもよい。
【００３４】
第１物品用機器２０Ａは、図１に示すように、記憶部２０２、通信部２０４、及び制御部２０６を備える。
【００３５】
記憶部２０２は、第１物品用機器２０Ａに内蔵された不揮発性の半導体メモリや、第１物品用機器２０Ａに着脱可能なＳＤカードなどである。記憶部２０２は、第１物品用機器２０Ａが取り付けられた衣服に関する情報を記憶する。ここで、図３（ａ）及び図３（ｂ）に基づいて、記憶部２０２に記憶されている情報（衣服ＤＢ３０）の一例について説明する。
【００３６】
図３（ａ）及び図３（ｂ）には、衣服ＤＢ３０のデータ構造の一例が示されている。図３（ａ）及び図３（ｂ）に示すように、衣服ＤＢ３０は、種別、対象、サイズ、色、デザイン、及び素材などのフィールドを有している。種別のフィールドには、衣服の種別（セーターやパジャマなど）が格納される。対象のフィールドには、どのような人向け（男性用又は女性用、大人用、子供用、又は幼児用など）の衣服であるかの情報が格納される。サイズのフィールドには、衣服のサイズ（Ｓ、Ｍや号数など）に関する情報が格納される。色のフィールドには、衣服の色（白など）の情報が格納される。色の情報の詳細として、色相、彩度、明度などの情報が格納されるが、これに代えて、ＲＧＢ表示系のデータやＣＩＥ表色系のデータが格納されてもよい。後述するように、この色情報は撮像装置１０に送信されるが、これにより、撮像装置１０で撮像した際の色再現性を向上することができる。デザインのフィールドには、衣服のデザイン（縞模様など）の情報が格納される。デザインの情報の詳細として、単位面積あたりの模様の数（パターンの数）、即ち模様の密度（パターン密度）や模様の方向、文字情報や数字情報などのロゴタイプ情報などが格納される。後述するように、このデザイン情報は撮像装置１０に送信されるが、これにより、衣服のロゴタイプの再現性が向上したり、モアレの影響をより低減することができる。なお、衣服ＤＢにロゴが衣服の前側か後ろ側（背中）といった位置（配置）情報を格納するようにしてもよい。素材のフィールドには、衣服の素材（毛、綿など）の情報が格納される。なお、衣服ＤＢ３０の各データは、第１物品用機器２０Ａが販売前の衣服に予め取り付けられる場合には、衣服を販売する店員や衣服の製造元が入力すればよい。また、第１物品用機器２０Ａを購入者が衣服に取り付ける場合には、例えば、購入者は、第１物品用機器２０ＡをＰＣなどに接続し、衣服ＤＢ３０の各データを入力するようにすればよい。
【００３７】
通信部２０４は、他の機器と通信を行うものであり、例えばＢｌｕｅｔｏｏｔｈ（登録商標）、ＲＦＩＤ、ＴｒａｎｓｆｅｒＪｅｔ（登録商標）などの近接通信を用いることができる。通信部２０４は、アンテナ２１０と、アンテナ２１０を用いて近接通信を行う通信制御部２１２と、を備え、撮像装置１０と通信を行う。なお、通信部２０４は、撮像装置１０との間で無線通信を行うこととしてもよい。
【００３８】
制御部２０６は、ＣＰＵなどを備え、第１物品用機器２０Ａ全体を制御する。制御部２０６が実行する処理の詳細については後述する。
【００３９】
（第２物品用機器２０Ｂ）
第２物品用機器２０Ｂは、撮像装置１０を用いて撮影を行う撮影者が着用する衣服に設けられている機器である。具体的には、第２物品用機器２０Ｂは、図２（ｄ）のように、撮像装置１０を保持する撮影者が着用する衣服（シャツやズボンなど）に設けられている。なお、第２物品用機器２０Ｂも、第１物品用機器２０Ａと同様、購入者が衣服を購入した時点で衣服に取り付けられていてもよいし、衣服を購入した後に購入者が取り付けてもよい。
【００４０】
第２物品用機器２０Ｂは、図１に示すように、記憶部３０２、通信部３０４、及び制御部３０６を有する。
【００４１】
記憶部３０２は、記憶部２０２と同様に、不揮発性の半導体メモリやＳＤカードなどであり、衣服に関する情報を記憶する。記憶部３０２に記憶されている衣服情報は、図３（ａ）及び図３（ｂ）と同様であるため、説明を省略する。
【００４２】
通信部３０４は、他の機器と通信を行うものであり、例えばＢｌｕｅｔｏｏｔｈ（登録商標）、ＲＦＩＤ、ＴｒａｎｓｆｅｒＪｅｔ（登録商標）などの近接通信や、無線通信などを用いることができる。通信部３０４は、アンテナ３１０と、アンテナ３１０を用いて近接通信や無線通信を行う通信制御部３１２と、を備え、撮像装置１０と通信を行う。
【００４３】
制御部３０６は、ＣＰＵなどを備え、第２物品用機器２０Ｂ全体を制御する。制御部３０６が実行する処理の詳細については後述する。
【００４４】
（連携処理）
次に、電子機器システム５００において実行される、撮像装置１０と第１物品用機器２０Ａ又は第２物品用機器２０Ｂとの連携処理について説明する。図４は、撮像装置１０の制御部１２４が実行する処理の一例を示すフローチャートである。また、図５には、図４の処理に対応する第１物品用機器２０Ａの制御部２０６又は第２物品用機器２０Ｂの制御部３０６の処理がフローチャートにて示されている。
【００４５】
図４の処理では、まず、ステップＳ１０において、制御部１２４は、ユーザが撮像装置１０を第１物品用機器２０Ａ又は第２物品用機器２０Ｂに対して近接通信が可能な距離まで近づけることで、第１物品用機器２０Ａ又は第２物品用機器２０Ｂと通信可能になるまで待機する。
【００４６】
第１物品用機器２０Ａ又は第２物品用機器２０Ｂと通信可能となった段階で、制御部１２４は、ステップＳ１２に移行する。ステップＳ１２に移行すると、制御部１２４は、第１物品用機器２０Ａ又は第２物品用機器２０Ｂに対して、衣服に関する情報（以下、衣服情報と称す）を送信するよう要求する。具体的には、制御部１２４は、通信部１２２を用いて第１物品用機器２０Ａの制御部２０６又は第２物品用機器２０Ｂの制御部３０６に、記憶部２０２又は３０２に記憶されている衣服情報を送信するように要求する。
【００４７】
一方、第１物品用機器２０Ａの制御部２０６又は第２物品用機器２０Ｂの制御部３０６では、図５のステップＳ３０において、衣服情報の送信要求を受信するまで待機しているので、図４のステップＳ１２の処理が行われた段階で、ステップＳ３２に移行する。ステップＳ３２では、制御部２０６又は３０６は、通信部２０４又は通信部３０４を用いて記憶部２０２又は３０２に記憶されている衣服情報を制御部１２４に対して送信する。
【００４８】
図４に戻り、ステップＳ１４では、制御部１２４は、第１物品用機器２０Ａ又は第２物品用機器２０Ｂから衣服情報を受信したか否かを判断する。ここでの判断が否定された場合、ステップＳ１６に移行する。
【００４９】
ステップＳ１６に移行すると、制御部１２４は、ステップＳ１２の送信要求から所定の時間（タイムアウトを示す時間であり、例えば３秒）が経過したか否かを判断する。このステップＳ１６の判断が否定された場合には、ステップＳ１４に戻り、ステップＳ１４、Ｓ１６を繰り返すが、ステップＳ１６の判断が肯定された場合には、ステップＳ１８に移行する。ステップＳ１８に移行すると、制御部１２４は、衣服情報を受信できない旨を、表示部１１０へ表示したり、スピーカー１１８から音声出力することによって撮影者に報知する。
【００５０】
一方、ステップＳ１２の送信要求から所定時間が経過するまでに、第１物品用機器２０Ａ又は第２物品用機器２０Ｂから衣服情報を受信した場合には（ステップＳ１４／Ｙｅｓ）、制御部１２４は、ステップＳ２０に移行する。なお、衣服情報を受信した場合、制御部１２４は、受信した旨を、表示部１１０へ表示したり、スピーカー１１８から音声出力することによって撮影者に報知してもよい。
【００５１】
ステップＳ２０に移行すると、制御部１２４は、画像処理部１０８の出力に基づくライブビュー画像（スルー画像）から人物を抽出し、人物の衣服が、受信した衣服情報と概ね合致するか否かを判断する。具体的には、制御部１２４は、ライブビュー画像から大まかな色の情報を得ることができるため、ライブビュー画像の人物が着用している衣服（例えばセーターなど）の色が、受信した衣服情報に含まれる色（例えばセーターの色）と概ね合致するか否かを判断する。ここでの判断が肯定された場合、ステップＳ２２に移行する。
【００５２】
ステップＳ２２に移行すると、制御部１２４は、受信した衣服情報は被写体の衣服情報であると判断し、これに基づいて、撮影条件の設定を変更する。これにより、被写体の衣服に適切な撮影条件を詳細に設定することができる。
【００５３】
撮影条件の設定変更の具体例としては、衣服情報（図３（ａ）及び図３（ｂ）の情報）の種別のフィールドに、パジャマのような部屋着の情報が格納されていたとする。この場合、室内での撮影と考えられるため、制御部１２４は室内用（蛍光灯）のホワイトバランスに設定する。また、種別のフィールドにセーターのような外出着の情報が格納されていた場合には、屋外での撮影と考えられるため、屋外用（太陽光）のホワイトバランスに設定する。また、種別のフィールドにセーターのような冬着の情報が格納されていた場合には、寒い中での撮影であり撮影者が手振れを起こし易いと考えられるため、シャッタースピードを速く設定する。また、対象のフィールドに女性用であるとの情報が格納されていた場合には、女性に人気の高い縦横比１：１の画像にトリミングする設定を行ったり、美白モードの設定を行う。また、対象のフィールドに幼児用であるとの情報が格納されていた場合には、赤ちゃんに対する撮影と考えられるため、フラッシュ部（図１では不図示）によるフラッシュを禁止する。また、サイズのフィールドの情報に応じて、被写体がスリムに移るモードに設定する。
【００５４】
また、制御部１２４は、衣服の色のフィールドの情報に応じて、色補間を行う。これにより、撮像装置１０で撮像した際の色再現性を向上することができる。また、衣服のデザインのフィールドの情報や素材のフィールドの情報に応じて、輪郭強調、ノイズリダクション、モアレ除去などを行う。これにより、撮像装置１０で撮像した衣服の再現性（例えばロゴや模様の再現性）が向上したり、モアレの影響を低減することができる。
【００５５】
一方、ライブビュー画像の人物の衣服と、受信した衣服情報とが合致しない場合には（ステップＳ２０／Ｎｏ）、制御部１２４は、ステップＳ２４に移行する。ステップＳ２４に移行すると、制御部１２４は、受信した衣服情報は撮影者の衣服情報であると判断し、これに基づいて、撮影条件の設定を変更する。具体的には、衣服情報の種別のフィールドから、撮影が室内で行われるか、屋外で行われるか、冬場の撮影であるかなどを判別し、判別結果に基づいて撮影条件の設定を変更する。また、衣服が子供用であれば、撮影者が子供であり、手振れを起こし易いと考えられるため、シャッタースピードを挙げる。
【００５６】
ステップＳ１８、Ｓ２２、Ｓ２４の後は、Ｓ１０以降の処理を繰り返す。これにより、制御部１２４は、ユーザが撮像装置１０を他の物品用機器に近づけるまでは撮影条件の設定を維持し、ユーザが撮像装置１０を他の物品用機器に近づけた場合には再度撮影条件の設定を行う。そして、制御部１２４は、シャッタースイッチ（レリーズボタン）が押されたら、そのタイミングで設定されている撮影条件で撮影を行う。
【００５７】
以上詳細に説明したように、第１の実施形態によれば、撮像装置１０の制御部１２４は、通信機能を有する第１物品用機器２０Ａ又は第２物品用機器２０Ｂを備えた撮影対象との通信（Ｓ１２）に応じて撮影を制御（例えばホワイトバランスやシャッタースピードなどの撮影条件の設定変更）する（Ｓ２０、２２）。これにより、撮影対象に応じた適切な撮影条件を、撮像装置１０のスイッチなどの操作を行わなくても設定することができるので、撮影における利便性を向上することができる。なお、第１物品用機器２０Ａは、必ずしも撮影における主たる被写体又はこの被写体に付属する物品に設けられてなくともよく、撮影領域に含まれる物品に設けられていればよい。例えば、第１物品用機器２０Ａは、撮影における主たる被写体が人物である場合において、撮影領域に含まれ、被写体（人物）の側方に置かれた花束に設けられていてもよい。
【００５８】
また、第１の実施形態では、制御部１２４は、通信部１２２で受信した撮影対象の色情報及びデザイン情報の少なくとも一方に基づいて、撮影を制御する（例えば、輪郭強調、ノイズリダクション、及びモアレ除去を行う）ことで、撮影対象の色、ロゴや模様などの再現、不要なノイズや干渉縞の除去などを適切に行うことができる。
【００５９】
また、第１の実施形態では、制御部１２４は、通信部１２２で受信した被写体が着用する衣服の種類情報（図３（ａ）及び図３（ｂ）における種別や対象）に基づいて、撮影を制御することで、撮影環境（場所や時間）、被写体の性別及び／又は年齢に適した撮影条件に設定変更することができる。なお、制御部１２４は、衣服の種類情報と位置検出部１２０で検出した位置情報とを組み合わせて、撮影を制御してもよい。例えば、屋内では位置検出部１２０（ＧＰＳ）を用いた位置検出が難しいことを利用して、衣服の種類情報と位置検出部１２０の検出状況とを組み合わせ、屋内での撮影か否かを判断することとしてもよい。
【００６０】
また、第１の実施形態では、第１物品用機器２０Ａ及び第２物品用機器２０Ｂは、撮像装置１０が撮影を行う前に、物品の種類情報、色情報、及びデザイン情報の少なくとも１つを撮像装置１０に送信するので、適切な撮影条件に設定変更した後の撮影条件で撮影することができる。
【００６１】
また、第１の実施形態では、図４の処理を実行することで、例えば自分撮りのような撮影者と被写体とが同一である場合でも、適切な撮影条件の設定ができる。
【００６２】
なお、第１物品用機器２０Ａが、図２（ｂ）に示すように、動物（ペット）の首輪に取り付けられている場合、制御部１２４は、例えば動物（ペット）の種類（犬、猫など）の情報を受信し、動きの速い動物であればシャッタースピードを上げる制御をしてもよい。また、動物の首輪には常に同一の情報を記憶した第１物品用機器２０Ａが取り付けられると考えられるため、制御部１２４は、受信した動物に関する情報とその動物の撮影画像とを関連付けて記憶部１１４により記憶媒体に記憶させておき、ライブビュー画像に写った動物が記憶媒体に記憶された動物と一致する場合には、記憶媒体に記憶されたその動物に関する情報を用いて、撮影条件の設定を行ってもよい。このように過去の履歴を利用する場合には、図４のフローチャートのステップＳ１０〜Ｓ１４およびＳ１６、Ｓ１８を省略することができる。なお、このようなことは、第１物品用機器２０Ａが動物の首輪に取り付けられている場合に限られず、常に同一の情報を記憶した第１物品用機器２０Ａが取り付けられるような物品を撮影する場合などにも適用することができる。
【００６３】
なお、第１物品用機器２０Ａが、図２（ｃ）に示すように、花束の包み紙に取り付けられている場合、制御部１２４は、例えば花束の色（赤、ピンクなど）の情報を受信し、色補間をして忠実な花の色を再現してもよい。
【００６４】
なお、第１の実施形態において、制御部１２４が第１物品用機器２０Ａから受信した情報が、動物（ペット）や花束の情報である場合には、ライブビュー画像の情報と受信した情報とを対比させることなく、被写体として撮影条件を設定してもよい。即ち、図４の処理を行わずに無条件でステップＳ２２と同様の設定を行うこととしてもよい。
【００６５】
なお、第１の実施形態において、被写体である人物の衣服の前と後ろとで色やデザインが異なる場合がある。この場合、制御部１２４は、ライブビュー画像によって被写体の顔認識を行うことで、被写体が前を向いているか又は後ろを向いているか判断し、その判断結果に基づいて、服の前後を考慮した適切な撮影条件に設定をするようにしてもよい。
【００６６】
なお、像面位相差ＡＦの機能を有する撮像装置では、撮像素子の一部の画素をフォーカス用に用いるため、この部分では撮影データが欠落してしまう。このため、通常は撮影データが欠落した画素のデータを周囲の画素のデータを使って補間することが行われている。これに対し、第１の実施形態では、撮像装置１０は被写体の情報（例えば衣服の色情報など）が得られることから、制御部１２４がこの被写体の情報に基づいて、撮影データが欠落した画素のデータを補間することとしてもよい。また、撮像素子の一部の画素が経年（時）変化により欠陥画素となってしまう場合があるが、欠陥画素が生じてしまった場合においても制御部１２４が上述の欠陥画素補正（補間）を行うことができる。
【００６７】
なお、第１の実施形態において、撮像装置１０は、ＳＮＳ（ソーシャル・ネットワーク・サービス）において、撮像装置１０で撮影した画像を合成したピグ（例えば撮影した衣服を着用したピグ）を作成するような機能を有していてもよい。この場合、ピグが着用する衣服のイラストを第１物品用機器２０Ａから取得した情報に基づいて作成するようにしてもよい。
【００６８】
《第２の実施形態》
次に、第２の実施形態に係る電子機器システムについて、図６〜図８に基づいて説明する。図６には、第２の実施形態に係る電子機器システム６００の構成が示されている。電子機器システム６００は、図６に示すように、撮像装置１０Ａと、第３物品用機器２０Ｃと、を備える。電子機器システム６００は、第３物品用機器２０Ｃを利用して、撮像装置１０Ａによる撮影の利便性を向上させるシステムである。
【００６９】
（撮像装置１０Ａ）
撮像装置１０Ａは、図６に示すように、図１の撮像装置１０の構成に加えて、高さ検出部１５０を備える。
【００７０】
高さ検出部１５０は、撮像装置１０Ａの地表面からの高さを検出する。例えば、高さ検出部１５０は、地表面に置かれた電波発生装置４００からの電波の強度を測定することで、撮像装置１０Ａの地表面からの高さを検出する。電波発生装置４００は、例えばユーザの靴に設けられていてもよい。なお、高さ検出部１５０は、撮像装置１０の地表面からの高さを検出できればどのようなものであってもよい。例えば、高さ検出部１５０は、気圧に基づいて地表面からの高さを検出してもよいし、ライブビュー画像に基づいて（ライブビュー画像の写り方などに基づいて）、地表面からの高さを検出してもよい。
【００７１】
なお、撮像装置１０Ａのその他の構成は、第１の実施形態の撮像装置１０と同様であるため、説明を省略する。
【００７２】
（第３物品用機器２０Ｃ）
第３物品用機器２０Ｃは、撮像装置１０Ａを用いて撮影を行う撮影者が着用する衣服（シャツやズボンなど）に設けられている機器であって、図１の第２物品用機器２０Ｂの構成に加えて、振動検出部３５０を備える。
【００７３】
振動検出部３５０は、加えられた振動を検出する。振動検出部３５０には、例えば加速度センサや圧力センサなど、振動を検出することができるものを用いることができる。振動検出部３５０は、撮影者が叩き易い位置（胸、尻、腿など）に設けられていることが好ましい。
【００７４】
なお、第３物品用機器２０Ｃのその他の構成は、第１の実施形態の第２物品用機器２０Ｂと同様であるため、説明を省略する。
【００７５】
（連携処理）
次に、電子機器システム６００において実行される、撮像装置１０Ａと第３物品用機器２０Ｃとの連携処理について説明する。図７は、撮像装置１０Ａの制御部１２４が実行する処理の一例を示すフローチャートである。また、図８には、図７の処理に対応する第３物品用機器２０Ｃの制御部３０６の処理がフローチャートにて示されている。なお、図７、図８の処理においては、撮像装置１０Ａと第３物品用機器２０Ｃとは無線通信を行うものとする。また、撮像装置１０Ａには、撮影するモードとして、シャッタースイッチ（レリーズボタン）の操作による撮影を実行する通常の撮影モードと、第３物品用機器２０Ｃを介した撮影を実行するリモートモードとがあるものとする。ユーザ（撮影者）は、各モードの選択、切り替えを、操作部１１２を介して、又はマイク１１６に所定の音声を入力することにより行うことができる。
【００７６】
なお、リモートモードと通常の撮影モードとの切り替えは、予め行われていてもよいし、図７の処理中に切り替えられてもよい。
【００７７】
図７の処理では、制御部１２４は、ステップＳ４０において、リモートモードが選択されたか否かを判断する。リモートモードが選択されていない場合（通常の撮影モードである場合）、ステップＳ４０の判断は否定され、制御部１２４は、ステップＳ４２に移行する。
【００７８】
ステップＳ４２に移行すると、制御部１２４は、撮像装置１０Ａに設けられたシャッタースイッチが押されたか否かを判断する。ここでの判断が否定された場合には、ステップＳ４０に戻るが、肯定された場合には、ステップＳ４４に移行する。ステップＳ４４に移行すると、制御部１２４は、シャッタースイッチが押されたことをトリガーとして、撮影を実行する。なお、図７においては、説明の簡素化のため、シャッタースイッチの半押しによるオートフォーカスなどの処理を省略している。
【００７９】
一方、リモートモードが選択されていると判断された場合（ステップＳ４０／Ｙｅｓ）、制御部１２４は、ステップＳ４６に移行する。ステップＳ４６に移行すると、制御部１２４は、高さ検出部１５０を介して、撮像装置１０Ａの地表面からの高さを検出する。
【００８０】
次いで、ステップＳ４８では、制御部１２４は、撮像装置１０Ａの地表面からの高さが所定範囲を外れているか否かを判断する。所定範囲とは、例えば撮影者が撮像装置１０Ａのシャッタースイッチを容易に押すことができる範囲である。本実施形態では、撮影者が撮像装置１０Ａを高い位置又は低い位置に構えている場合にシャッタースイッチを押し難いことを考慮して、例えば地表面から３０ｃｍ〜１５０ｃｍの範囲を所定範囲と定めているものとする。なお、所定範囲は、ユーザが適宜設定可能であるものとする。また、例えば、ユーザが入力したユーザの身長に基づいて、制御部１２４が所定範囲を自動的に設定することとしてもよい。ステップＳ４６における検出の結果、撮像装置１０Ａの地表面からの高さが所定範囲内であった場合（すなわち、ユーザがシャッタースイッチを容易に押すことができる場合）、ステップＳ４８は否定され、制御部１２４は、ステップＳ４２に移行する。
【００８１】
一方、制御部１２４は、撮像装置１０の地表面からの高さが所定範囲を外れていると判断した場合（ステップＳ４８／Ｙｅｓ）、ステップＳ５０に移行する。ステップＳ５０に移行すると、制御部１２４は、第３物品用機器２０Ｃの制御部３０６に対して、振動検出部３５０で振動を検出したという情報（以下、振動情報と呼ぶ）を受信可能な状態であることを通知する。この際、制御部１２４は、シャッタースイッチを無効にして、リモートモードである旨を、表示部１１０へ表示したり、スピーカー１１８から音声出力することによって撮影者に報知してもよい。
【００８２】
これに対し、第３物品用機器２０Ｃの制御部３０６は、図８のステップＳ６０において、撮像装置１０Ａの制御部１２４から振動情報が受信可能な状態であることの通知を受信するまで待機している。したがって、制御部１２４においてステップＳ５０が実行されると、ステップＳ６２に移行する。ステップＳ６２では、制御部３０６は、振動検出部３５０において振動が検出されるまで待機し、振動が検出されると、ステップＳ６４において振動情報を制御部１２４に対して送信する。
【００８３】
図７に戻り、制御部１２４は、ステップＳ５０の後、ステップＳ５２において、第３物品用機器２０Ｃから振動情報を受信したか否かを判断する。このステップＳ５２の判断が否定された場合、ステップＳ４６に戻るが、肯定された場合には、ステップＳ４４に移行する。なお、ステップＳ５２の判断が否定され、ステップＳ４６に戻った後において、ステップＳ４８が肯定され続けている場合には、ステップＳ５０を省略してもよい。また、ステップＳ４８の判断が否定された場合には、振動情報を受信しない状態であることを示す通知を第３物品用機器２０Ｃの制御部３０６に送信することとしてもよい。制御部３０６において該通知を受信した場合には、ステップＳ６０に戻ってもよい。
【００８４】
ステップＳ５２の判断が肯定され（振動情報を受信し）、ステップＳ４４に移行すると、制御部１２４は、振動情報の受信をトリガーとして、撮影を実行する。
【００８５】
以上詳細に説明したように、第２の実施形態によれば、制御部１２４は、撮影者が着用する衣服に設けられた通信機能を有する第３物品用機器２０Ｃに含まれる振動検出部３５０の検出結果を受信し（Ｓ５２）、この検出結果に基づいて撮影を実行する（Ｓ４４）。これにより、撮影者がシャッタースイッチを押し難い位置で撮像装置１０Ａを構えた場合でも、シャッタースイッチを押さずに撮影を行うことができるため、撮影の利便性が向上する。また、リモコンによるリモート撮影では、リモコンを保持して、電子機器に向ける必要があるが、第２の実施形態によれば、そのような動作も不要となる。勿論、リモコンを携帯する必要もないため、紛失のおそれもなくなる。
【００８６】
また、第２の実施形態によれば、撮像装置１０Ａは、地表面からの高さを検出する高さ検出部１５０を備え、高さ検出部１５０で検出された高さに基づいて（例えば高さ検出部１５０で検出された高さが所定の範囲よりも低い場合又は高い場合に）、振動検出部３５０の振動結果を受信するようにしている。これにより、撮像装置１０Ａを構える高さ位置に応じた適切な方法により撮影者は撮像装置１０Ａに対して撮像指示を出すことができる。
【００８７】
なお、第２の実施形態では、第３物品用機器２０Ｃの振動検出部３５０が圧力センサである場合、撮影者の心拍（又は脈拍）を検出する機能を有していてもよい。この場合、制御部３０６は、心拍や脈拍の周期などをモニタし、測定時刻と関連付けて記憶部３０２に記憶してもよいし、通信部３０４を介して外部情報端末あるいはサーバに送信してもよい。振動検出部３５０が撮影者の心拍（又は脈拍）を検出する機能を有する場合、撮像装置１０Ａの制御部１２４は、図７のステップＳ５０の前又は同時に、振動による撮影が可能か否かを確認する振動撮影許可申請を第３物品用機器２０Ｃに送信してもよい。第３物品用機器２０Ｃの制御部３０６は、振動撮影許可申請を受信した場合に、振動による撮影が可能か否かを判断して、その結果を撮像装置１０Ａに送信してもよい。例えば、制御部３０６は、振動検出部３５０による心拍のデータ取得、記録が実行されていて、それを停止しないように設定されている場合には、振動による撮影はできないと判断し、心拍データの取得などが行われていない場合には、振動による撮影は可能と判断してもよい。このように、振動検出部３５０が撮影者の心拍（又は脈拍）を検出する機能を有する場合、健康状態としての心拍数の管理が可能となる。
【００８８】
（変形例）
次に、第２の実施形態の変形例に係る電子機器システムについて、図９及び図１０に基づいて説明する。図９には、第２の実施形態の変形例に係る電子機器システム６００Ａの構成が示されている。電子機器システム６００Ａの撮像装置１０Ｂは、図９に示すように、図６の撮像装置１０Ａの高さ検出部１５０に代えて、姿勢検出部１６０を備える。
【００８９】
図１０（ａ）及び図１０（ｂ）には、撮像装置１０Ｂが斜視図にて示されている。撮像装置１０Ｂでは、図１０（ａ）及び図１０（ｂ）に示すように、撮像装置１０Ｂの筐体１７０に対して、表示部１１０の表示画面１１０Ａが姿勢変更可能に設けられている。姿勢検出部１６０は、表示画面１１０Ａの姿勢を検出する。例えば、姿勢検出部１６０は、表示画面１１０Ａが図１０（ａ）のように上側を向いているか、図１０（ｂ）に示すように下側を向いているか、その角度はどの程度か、などを検出する。
【００９０】
なお、電子機器システム６００Ａのその他の構成は、第２の実施形態に係る電子機器システム６００と同様であるため、説明を省略する。
【００９１】
撮像装置１０Ｂの制御部１２４は、図７の高さ検出ステップ（Ｓ４６）において、姿勢検出部１６０の検出結果に基づいた高さ判定を行う。すなわち、図１０（ａ）のように表示画面１１０Ａが上側を向いている場合には、撮像装置１０が地表面近くにあると判定する。一方、図１０（ｂ）のように表示画面１１０Ａが下側を向いている場合には、撮像装置１０Ｂが撮影者の頭よりも上で構えられていると判定する。そして、制御部１２４は、表示画面１１０Ａが、図１０（ａ）や図１０（ｂ）のような状態にある場合に、図７のステップＳ４８において所定範囲外であると判断する。制御部１２４のその他の処理は第２の実施形態と同様である。
【００９２】
本変形例のように、撮像装置１０Ｂは、筐体１７０に対する姿勢が変更可能な表示画面１１０Ａの姿勢を検出する姿勢検出部１６０を備え、姿勢検出部１６０で検出された姿勢に基づいて、振動検出部３５０の振動結果を受信するので、第２の実施形態と同様、シャッタースイッチを押し易い高さに電子機器を構えている場合は通常の撮影を行い、シャッタースイッチを押し難い高さに電子機器を構えている場合は振動検出により撮影するようにすることができる。このように、本変形例においても、第２の実施形態と同様、撮影における利便性を向上することができる。
【００９３】
なお、第２の実施形態及び変形例では、撮像装置１０Ａ、１０Ｂがリモートモードにある場合に、静止画のみならず動画を撮影することとしてもよい。この場合、制御部１２４は、振動情報の差異に応じて、静止画及び動画のいずれを撮影するかを判断することとしてもよい。
【００９４】
なお、上記の処理機能は、コンピュータによって実現することができる。その場合、処理装置（ＣＰＵ）が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００９５】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００９６】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００９７】
上述した実施形態は本発明の好適な実施の例であり、適宜組み合わせることができる。例えば、第１の実施形態による撮影条件の設定を行った上で、第２の実施形態による方法で撮影を実行してもよい。但し、これに限定されるものではなく、本発明の要旨を逸脱しない範囲内において種々変形実施可能である。
【符号の説明】
【００９８】
１０、１０Ａ、１０Ｂ  撮像装置
２０Ａ  第１物品用機器
２０Ｂ  第２物品用機器
２０Ｃ  第３物品用機器
１０２  レンズ部
１０４  撮像素子
１０６  Ａ／Ｄ変換部
１０８  画像処理部
１１０  表示部
１１０Ａ  表示画面
１１４  記憶部
１２０  位置検出部
１２２  通信部
１２４  制御部
１５０  高さ検出部
１６０  姿勢検出部
１７０  筐体
２０２  記憶部
２０４  通信部
２０６  制御部
３０２  記憶部
３０４  通信部
３０６  制御部
３５０  振動検出部
【図１】
2016019246.tif 000003
【図２】
2016019246.tif 000004
【図３】
2016019246.tif 000005
【図４】
2016019246.tif 000006
【図５】
2016019246.tif 000007
【図６】
2016019246.tif 000008
【図７】
2016019246.tif 000009
【図８】
2016019246.tif 000010
【図９】
2016019246.tif 000011
【図１０】
2016019246.tif 000012